(57)【要約】【課題】織布テープでも幅方向の一部が判別可能となる技術を提供することを目的とする。【解決手段】織布テープ１０は、ワイヤーハーネス１５に巻付けられる織布テープ１０であって、幅方向に延びる複数の横糸と、延在方向に延びる複数の縦糸とが織り合わされた織布で形成されたテープ基材と、前記テープ基材の一方の面に形成された粘着層と、を備える。前記複数の縦糸として、第１縦糸と、前記第１縦糸と異なっていることが視覚あるいは触覚により判別可能である、少なくとも１本の第２縦糸とが用いられている。【選択図】図８
2015046293.tif 000002
【特許請求の範囲】
【請求項１】
ワイヤーハーネスに巻付けられる織布テープであって、
幅方向に延びる複数の横糸と、延在方向に延びる複数の縦糸とが織り合わされた織布で形成されたテープ基材と、
前記テープ基材の一方の面に形成された粘着層と、を備え、
前記複数の縦糸として、第１縦糸と、前記第１縦糸と異なっていることが視覚あるいは触覚により判別可能である、少なくとも１本の第２縦糸とが用いられている、織布テープ。
【請求項２】
請求項１に記載の織布テープであって、
前記第１縦糸の色と、前記第２縦糸の色とが異なっている、織布テープ。
【請求項３】
請求項１又は請求項２記載の織布テープであって、
前記第１縦糸の表面形状と、前記第２縦糸の表面形状とが異なっている、織布テープ。
【請求項４】
請求項１〜請求項３のいずれか１つに記載の織布テープであって、
前記第２縦糸が、前記幅方向の中央を通って延びる縦糸である、織布テープ。
【請求項５】
請求項１〜請求項４のいずれか１つに記載の織布テープと、
ワイヤーハーネスと、
を備え、
前記織布テープが部分的に重なり合いつつ、前記ワイヤーハーネスに螺旋状に巻付けられている、織布テープ付ワイヤーハーネス。
【請求項６】
請求項５記載の織布テープ付ワイヤーハーネスであって、
前記第１縦糸と前記第２縦糸とによって、前記織布テープの幅方向の中央に判別可能な識別ラインが設けられ、
前記織布テープの幅方向の一方側端部が前記識別ラインに沿うようにして、前記織布テープが前記ワイヤーハーネスに螺旋状に巻付けられている、織布テープ付ワイヤーハーネス。
【請求項７】
ワイヤーハーネスに請求項１〜４のいずれか１つに記載の織布テープが巻付けられた織布テープ付ワイヤーハーネスの製造方法であって、
前記織布テープが、前記第１縦糸と前記第２縦糸とを手掛かりとして、部分的に重なり合いつつ、前記ワイヤーハーネスに螺旋状に巻付けられる、織布テープ付ワイヤーハーネスの製造方法。
【発明の詳細な説明】
【技術分野】
【０００１】
この発明は、ワイヤーハーネスに巻付ける織布テープに関する。
【背景技術】
【０００２】
自動車等の車両には複数の電気機器を電気的に接続するために、複数の電線を束ねたワイヤーハーネスが用いられている。このワイヤーハーネスの一部には、結束のため、摩耗から保護するため、或いは、消音のため等を目的として、各種テープが巻き付けられることがある。中でも、特に保護したい部分（例えば、耐摩耗性を要する部分）には、特許文献１のように、テープの幅方向で半分ずつ重ねて巻付ける、二重巻（二重ラップ巻、ハーフラップ巻ともいう）と呼ばれる巻き方などでテープが巻付けられる必要がある。
【０００３】
この二重巻が人の手によって行われる場合、一部にテープが重なっていない部分が生じたりすることがあり、完全な二重巻をすることは難しかった。また、完全な二重巻ができているかの検査も、目視での判別、或いは、手で触っての判別により行われる場合、テープが重なっていない部分を特定することは困難であった。
【０００４】
特許文献２には、幅方向に２分割された塩化ビニルテープを用い、さらに２分割されたテープそれぞれの幅方向の中央にラインが印刷されているものが開示されている。該塩化ビニルテープを用いることで、特許文献２では、ハーフラップ巻、或いは、２重ハーフラップ巻を１回のテープ巻で達成することができるとされている。
【先行技術文献】
【特許文献】
【０００５】
【特許文献１】特開平７−２４５０１６号公報
【特許文献２】特開２００１−６７９５５号公報
【発明の概要】
【発明が解決しようとする課題】
【０００６】
ところで、ワイヤーハーネスに巻きつけられるテープとして、塩化ビニルテープのほかに、２方向に糸を織り合わせることによって形成される織布を用いる織布テープを使用することもできる。
【０００７】
しかしながら、織布テープは織物であるため、表面が均一でない、液体が染み込むといった性質を持っている。このため、特許文献２のように、織布テープにラインを印刷しようしても、表面が均一でないため印刷しづらい、又は、印刷用の材料が中に染み込んでしまうため粘着剤に影響を与えてしまう等の問題があった。
【０００８】
そこで、本発明は、織布テープでも幅方向の一部が判別可能となる技術を提供することを目的とする。
【課題を解決するための手段】
【０００９】
上記課題を解決するため、第１の態様に係る織布テープは、ワイヤーハーネスに巻付けられる織布テープであって、幅方向に延びる複数の横糸と、延在方向に延びる複数の縦糸とが織り合わされた織布で形成されたテープ基材と、前記テープ基材の一方の面に形成された粘着層と、を備え、前記複数の縦糸として、第１縦糸と、前記第１縦糸と異なっていることが視覚あるいは触覚により判別可能である、少なくとも１本の第２縦糸とが用いられている。
【００１０】
第２の態様に係る織布テープは、第１の態様に係る織布テープであって、前記第１縦糸の色と、前記第２縦糸の色とが異なっている。
【００１１】
第３の態様に係る織布テープは、第１又は第２の態様に係る織布テープであって、前記第１縦糸の表面形状と、前記第２縦糸の表面形状とが異なっている。
【００１２】
第４の態様に係る織布テープは、第１〜第３のいずれか１つの態様に係る織布テープであって、前記第２縦糸が、前記幅方向の中央を通って延びる縦糸である。
【００１３】
第５の態様に係る織布テープ付ワイヤーハーネスは、第１〜第４のいずれか１つの態様に係る織布テープと、ワイヤーハーネスと、を備え、前記織布テープが部分的に重なり合いつつ、前記ワイヤーハーネスに螺旋状に巻付けられている。
【００１４】
第６の態様に係る織布テープ付ワイヤーハーネスは、第５の態様に係る織布テープ付ワイヤーハーネスであって、前記第１縦糸と前記第２縦糸とによって、前記織布テープの幅方向の中央に判別可能な識別ラインが設けられ、前記織布テープの幅方向の一方側端部が前記識別ラインに沿うようにして、前記織布テープが前記ワイヤーハーネスに螺旋状に巻付けられている。
【００１５】
第７の態様に係る織布テープ付ワイヤーハーネスの製造方法は、ワイヤーハーネスに第１〜第４のいずれか１つの態様に係る織布テープが巻付けられた織布テープ付ワイヤーハーネスの製造方法であって、前記織布テープが、前記第１縦糸と前記第２縦糸とを手掛かりとして、部分的に重なり合いつつ、前記ワイヤーハーネスに螺旋状に巻付けられる。
【発明の効果】
【００１６】
第１の態様に係る織布テープによると、複数の縦糸として、第１縦糸と、第１縦糸と異なっていることが視覚あるいは触覚により判別可能である、少なくとも１本の第２縦糸とが用いられているため、織布テープの幅方向の一部に、第１縦糸と第２縦糸とを手掛かりとして判別可能な識別ラインが形成される。これにより、織布テープをワイヤーハーネスへの巻付ける際に、識別ラインに応じた重なり分を確実に形成することができる。また、識別ラインに応じた重なり分ができているかの検査時に、作業者は、識別ラインを手掛かりとして調べることによって、容易に検査を行うことができる。
【００１７】
第２の態様に係る織布テープによると、第１縦糸の色と、第２縦糸の色とが異なっているため、織布テープの幅方向の一部に、第１縦糸と第２縦糸とを手掛かりとして視覚により判別可能な識別ラインが形成されることによって、作業者が、識別ラインを確認しやすい。
【００１８】
第３の態様に係る織布テープによると、第１縦糸の表面形状と、第２縦糸の表面形状とが異なっているため、織布テープの幅方向の一部に、第１縦糸と第２縦糸とを手掛かりとして視覚あるいは触覚により判別可能な識別ラインが形成される。
【００１９】
第４の態様に係る織布テープによると、第２縦糸が織布テープの幅方向の中央を通るため、幅方向の中央が判別可能である。これにより、ワイヤーハーネスに織布テープを巻き付ける際に、より完全な二重巻を施すことが容易になり、また、完全な二重巻が施されているかの検査も容易になる。
【００２０】
第５の態様に係る織布テープ付ワイヤーハーネスによると、第１から第４のいずれか１つの態様に係る織布テープが部分的に重なり合いつつ、ワイヤーハーネスに螺旋状に巻付けられているため、一定の重なりを確実に形成することが容易であり、また、一定の重なりが形成されているかも容易に検査することができる。また、一定の重なりが確実に形成されることによって、ワイヤーハーネスをより確実に保護することができる。
【００２１】
第６の態様に係る織布テープ付ワイヤーハーネスによると、第１縦糸と第２縦糸とによって、織布テープの幅方向の中央に判別可能な識別ラインが設けられ、織布テープの幅方向の一方側端部が識別ラインに沿うようにして、織布テープがワイヤーハーネスに螺旋状に巻付けられているため、ワイヤーハーネスへの織布テープの二重巻を確実に施すことが可能である。
【００２２】
第７の態様に係る織布テープ付ワイヤーハーネスの製造方法によると、織布テープが、第１縦糸と第２縦糸とを手掛かりとして、部分的に重なり合いつつ、ワイヤーハーネスに螺旋状に巻付けられるため、一定の重なりが確実に形成された織布テープ付ワイヤーハーネスを製造することができる。
【図面の簡単な説明】
【００２３】
【図１】実施形態に係る織布テープを示す図である。
【図２】図１の部分拡大図である。
【図３】織布テープ付ワイヤーハーネスを示す図である。
【図４】織布テープ付ワイヤーハーネスをワイヤーハーネスの延在方向に沿って切断した部分断面図である。
【図５】織布テープの変形例を示す図である。
【図６】第１縦糸の表面形状と第２縦糸の表面形状とが異なる例を示す図である。
【図７】第２縦糸を第１縦糸よりも太くした例を示す図である。
【図８】織布テープ付ワイヤーハーネスの製造方法を示す図である。
【図９】一部に二重巻がされていない部分がある織布テープ付ワイヤーハーネスを示す図である。
【図１０】図９の織布テープ付ワイヤーハーネスをワイヤーハーネスの延在方向に沿って切断した部分断面図である。
【発明を実施するための形態】
【００２４】
以下、実施形態に係る織布テープ１０及び織布テープ付ワイヤーハーネス２０について説明する。図１は、実施形態に係る織布テープ１０を示す図である。図２は、図１の織布テープ１０のテープ基材３０の部分拡大図である。図３、４は、実施形態に係る織布テープ付ワイヤーハーネス２０を示す図であり、図４は、図３のワイヤーハーネス１５を、その延在方向に沿って切断した部分断面図である。
【００２５】
本実施形態に係る織布テープ付ワイヤーハーネス２０は織布テープ１０とワイヤーハーネス１５とを備える。
【００２６】
ワイヤーハーネス１５は少なくとも１本の電線を含む。ここでは、ワイヤーハーネス１５は、複数の電線が束ねられたものであり、車両等に配索されて各種電気部品同士を電気的に接続する配線材として用いられる。ワイヤーハーネス１５は、途中で分岐していてもよい。また、ワイヤーハーネス１５には、光ファイバーケーブル等が含まれていてもよい。図３〜図４、図８〜図１０のワイヤーハーネス１５では、複数の電線が束ねられたワイヤーハーネス１５の概形が描かれている。
【００２７】
織布テープ１０は、織布で形成されたテープ基材３０と、テープ基材３０の一方の面に形成された粘着層６０とを備え、円筒状部材１６の周囲に粘着層６０が内側を向くように幾重にも巻回されている。
【００２８】
粘着層６０は、テープ基材３０のどちらか一方の面に粘着剤が塗布されたものである。粘着剤としては、テープ基材３０が円筒状部材１６の周囲に巻回された後にその形状を維持可能で、且つ、ワイヤーハーネス１５への巻付け時に、テープ基材３０を内側のテープ基材３０から剥離させて巻き出し可能なものであればよい。
【００２９】
この織布テープ１０が巻き出され、粘着層６０が設けられた側をワイヤーハーネス１５に接触させることによって、織布テープ１０がワイヤーハーネス１５に巻付けられ、固定される。ワイヤーハーネス１５に巻付けられた織布テープは、種類によって、結束の役割、摩耗等からワイヤーハーネス１５を保護する役割、或いは、消音の役割等のうち、少なくとも１つの役割を果たす。
【００３０】
ここでは、織布テープ１０が、主に摩耗からワイヤーハーネス１５を保護する役割を担う場合について説明する。ワイヤーハーネス１５を摩耗から保護するために織布テープ１０が巻き付けられる場合、ワイヤーハーネス１５を特に保護したい箇所には、織布テープ１０を用いて、二重巻（ハーフラップ巻）、三重巻、或いは、四重巻（二重ハーフラップ巻）等が施される。ここでは、織布テープ１０によりワイヤーハーネス１５に二重巻が施されている例で説明する。
【００３１】
ワイヤーハーネス１５への織布テープ１０による二重巻がより完全なものとなるように、本実施形態に係る織布テープ１０は、幅方向の中央が、視覚或いは触覚により判別可能であるが、詳しくは後述する。もっとも、三重巻が施されるのであれば、織布テープの幅方向の３分の１の位置が判別可能であればよく、四重巻が施されるのであれば、織布テープの幅方向の４分の１の位置が判別可能であればよい。つまり、施される巻き方により、織布テープは、幅方向において特定の位置が判別可能であればよい。
【００３２】
テープ基材３０は、複数の糸を２方向に織り合わされた織布で形成された部材で細長い帯状をしている。織り合わせる複数の糸として、ここでは、主にＰＥＴから成る糸が用いられている。もっとも、糸の材料は、ＰＥＴ（ポリエチレンテレフタレート）に限られるものではなく、その他の樹脂あるいは自然素材で糸状に形成可能なものであればよい。ここで、糸状とは、いわゆる１本の単糸のほかに、複数の繊維が絡み合うことで、または、複数の糸が撚り合わされることで、全体として１本の糸とみなすことできるものも含む。そして、そのような糸状の部材が織り合わされた織布がテープ基材として使用可能であればよい。
【００３３】
なお、糸の材料としては、織布テープをワイヤーハーネス１５に巻付ける目的によって、異なる材料が用いられる。主にＰＥＴから成る糸によりテープ基材３０が形成されると、耐摩耗性、耐熱性に優れた織布テープ１０を形成することができる。
【００３４】
織り合わせる２方向は、ここでは、幅方向に沿った方向と、幅方向に垂直な方向（織布テープ１０の延在方向）とから成る。織り合わせる複数の糸として、幅方向に沿った方向に織り合わせる横糸５０と、幅方向に垂直な方向に織り合わせる縦糸４０とが用いられている。縦糸４０と横糸５０とは、同じ種類の糸でもよいし異なる種類の糸でもよい。
【００３５】
織布の織り方としては、図２にあるように、縦糸４０と横糸５０とを交互に上下に交差させる織り方、いわゆる、平織りという織り方で織られている。
【００３６】
もっとも、織り方としては、図５のテープ基材３０Ａのように、縦糸４０と横糸５０との交差する部分が斜めの方向に連続して斜線状を表す織り方、いわゆる、綾織りという織り方で織られていてもよい。
【００３７】
本実施形態に係る織布テープ１０は、縦糸４０として、第１縦糸４２と、少なくとも１本の第２縦糸４４とが用いられている。そして、第１縦糸４２に用いられる糸と、第２縦糸４４に用いられる糸とに異なる糸が用いられており、その違いが視覚または触覚により判別可能である。このため、第２縦糸４４の位置、または、第１縦糸４２と第２縦糸４４との境目の位置に、織布テープ１０の延在方向に延び、視覚あるいは触覚により判別可能な識別ラインＬが形成される。
【００３８】
より具体的には、ここでは、図２のように、第１縦糸４２に用いられる糸の色と、幅方向の中央を通って延びる１本の第２縦糸４４（複数の縦糸４０のうち真ん中の縦糸）に用いられる糸の色とが異なることによって幅方向の中央が視覚により判別可能である。このため、ここでは、幅方向の中央付近を通るようにして延びる識別ラインＬが形成される。
【００３９】
なお、第１縦糸の色と第２縦糸の色とが異なっている場合、糸の長手方向全体の色が異なっていてもよいし、糸の長手方向の一部で色が異なっていてもよい。つまり、第１縦糸と第２縦糸とが異なっていることが視覚により判別可能であればよい。
【００４０】
なお、本実施形態では、第１縦糸４２と第２縦糸４４とが異なっていることが視覚あるいは触覚により判別可能な例として、色違いの糸を用いることによって、視覚により判別可能な例で説明したが、ほかにもさまざまな例が考えられる。
【００４１】
第１縦糸と第２縦糸とが異なっていることが視覚により判別可能なほかの例として、図示は省略するが、第１縦糸と第２縦糸とのどちらか一方に光沢のある糸を用い、もう一方には光沢のより少ない糸を用いるようにしてもよい。例えば、化学繊維の糸の場合、同じ種類の材料から成る糸でも、酸化チタン等の艶消し剤となる化合物の配合比を変えることで、異なる光沢を持つ糸を製造することができる。この場合であっても、幅方向の特定の位置が視覚により判別可能である。
【００４２】
また、第１縦糸と第２縦糸とが異なっていることが触覚により判別可能な例としては、第１縦糸の表面形状と第２縦糸の表面形状とが異なっているものが考えられる。例えば、図６にあるように、第２縦糸４４Ｂに複数の糸を撚った撚糸が用いられ、第１縦糸４２Ｂには滑らかな単糸が用いられる場合が考えられる。この場合、第１縦糸４２Ｂと第２縦糸４４Ｂとが異なっていることが触覚により（もっとも、この場合は視覚でも）判別可能である。このため、テープ基材３０Ｂに、第１縦糸４２Ｂと第２縦糸４４Ｂとを手掛かりとして触覚により判別可能な識別ラインＬ１が形成される。
【００４３】
また、図示は省略するが、第１縦糸と第２縦糸とのどちらか一方に凹凸が形成された糸、あるいは、ひねりがかけられた糸が用いられ、もう一方はそのような加工が施されていない糸が用いられることによって、第１縦糸の表面形状と第２縦糸の表面形状とが異なるようにしてもよい。この場合であっても、第１縦糸と第２縦糸との違いが視覚あるいは触覚により判別可能であることによって、テープ基材に判別可能な識別ラインが形成される。
【００４４】
また、第１縦糸と第２縦糸とが異なっていることが視覚あるいは触覚により判別可能である他の例として、図７にあるように、第１縦糸の糸の太さと第２縦糸の糸の太さとが異なっているものも考えられる。図７では、テープ基材３０Ｃとして用いられる織布の縦糸４０Ｃのうち、第２縦糸４４Ｃを第１縦糸４２よりも太くなっている。この場合であっても、第１縦糸４２と第２縦糸４４Ｃとが異なっていることが視覚あるいは触覚により判別可能であることによって、判別可能な識別ラインＬ２が形成される。もっとも、図７とは逆に、第１縦糸を第２縦糸よりも太くしてもよい。
【００４５】
＜織布テープ付ワイヤーハーネス２０の製造方法＞
次に、織布テープ付ワイヤーハーネス２０の製造方法について説明する。図８は、織布テープ付ワイヤーハーネス２０の製造方法を示す図である。なお、図８では、分かり易いように、織布テープ１０の識別ラインＬが一点鎖線で表されている。
【００４６】
織布テープ１０として、上述したような第１縦糸４２と第２縦糸４４との境目に視覚あるいは触覚により判別可能な識別ラインＬが形成されているものが用いられる。ここでは、幅方向の中央を通る１本の第２縦糸４４の色が、第１縦糸４２の色と異なっていることによって、幅方向の中央に視覚により判別可能な識別ラインＬが設けられている織布テープ１０が用いられている。
【００４７】
この織布テープ１０が、ワイヤーハーネス１５の周囲に、ワイヤーハーネス１５の延在方向の一方側に向かって、螺旋状に巻付けられている。この際に、織布テープ１０が部分的に重なるようにワイヤーハーネス１５に巻付けられる。より具体的には、織布テープ１０の幅方向の一方側端部が１本の識別ラインＬに沿うようにして、織布テープ１０がワイヤーハーネス１５に螺旋状に巻付けられている。
【００４８】
ここで、識別ラインＬに沿うようにするとは、識別ラインＬが織布テープ１０の一方側端部によって隠れるようにしてもよいし、識別ラインＬと織布テープの一方側端部とが重ならなくてもよいし、ぴったり重なるようにしてもよい。
【００４９】
ここでは、より完全な二重巻が施された織布テープ付ワイヤーハーネス２０を製造することが目的であるため、図８のように、識別ラインＬが織布テープ１０の一方側端部によって隠れるようにして、織布テープ１０がワイヤーハーネス１５に螺旋状に巻付けられている。
【００５０】
また、ここでは、幅方向の中央に判別可能な識別ラインＬが設けられている織布テープ１０を用いているため、より完全な二重巻が施された織布テープ付ワイヤーハーネス２０を製造可能であるが、例えば、幅方向の３分の１あるいは４分の１の部分に判別可能な識別ラインが設けられた織布テープを用いて、織布テープ付ワイヤーハーネスを製造することも可能である。この場合、識別ラインが隠れるように、ワイヤーハーネス１５に織布テープが巻き付けられると、それぞれより完全な３重巻、４重巻が施された織布テープ付ワイヤーハーネスを製造することができる。
【００５１】
つまり、第１縦糸と第２縦糸との境目に形成される識別ラインの位置によって、対応する重なり方を有する織布テープ付ワイヤーハーネスをより確実に製造することができる。
【００５２】
＜検査方法＞
次に、織布テープ付ワイヤーハーネス２０に、識別ラインＬに対応する所定の重なりが生じていない部分があるかの検査方法について説明する。ここでは、織布テープ付ワイヤーハーネス２０により完全な二重巻が施されているかの検査方法を例にして説明する。
【００５３】
図９及び図１０は、一部に完全な二重巻が施されていない部分を有する織布テープ付ワイヤーハーネス２０Ａを示す図であり、図９は、全体図、図１０は、ワイヤーハーネス１５の延在方向に沿って切断した部分断面図である。なお、図９では、分かり易いように、露出している識別ラインＬを一点鎖線で表している。また、織布テープ付ワイヤーハーネス２０と織布テープ付ワイヤーハーネス２０Ａとは、二重巻が完全であるか否かだけが異なるものとする。
【００５４】
ここで、織布テープ付ワイヤーハーネス２０，２０Ａにおいて、より完全な二重巻が施されていれば、図３のように幅方向の中央が露出することはないが、図９のように、一部に完全な二重巻が施されていない部分Ａがあると、その部分Ａでは、幅方向の中央が露出する。従って、幅方向の中央を視覚あるいは触覚により判別できれば、露出している部分が存在するかどうかを判別できるため、より完全な二重巻が施されているか否かの検査が可能である。
【００５５】
本実施形態に係る織布テープ付ワイヤーハーネス２０，２０Ａに用いられる織布テープ１０は、上述したように第１縦糸４２と第２縦糸４４との色が異なるため、幅方向の中央に視覚により判別可能な識別ラインＬが設けられている。このため、識別ラインＬが露出しているかどうかを調べることが可能であることによって、より完全な二重巻が施されているかを検査することができる。
【００５６】
また、幅方向の３分の１の部分が判別可能な織布テープを用いて三重巻した場合、或いは、幅方向の４分の１の部分が判別可能な織布テープを用いて四重巻した場合等であっても、この検査方法を用いることができる。
【００５７】
つまり、識別ラインが設けられている織布テープを用いて、識別ラインが隠れるようにして、織布テープ付ワイヤーハーネスが製造されると、識別ラインが露出している部分があるかどうかを視覚あるいは触覚により調べることによって、識別ラインに対応する所定の重なりが形成されているかどうかを検査することができる。
【００５８】
＜効果＞
本実施形態に係る織布テープ１０及び織布テープ付ワイヤーハーネス２０によると、第１縦糸４２と、第１縦糸４２と異なっていることが視覚あるいは触覚により判別可能である、少なくとも１本の第２縦糸４４とが用いられることによって、第１縦糸と第２縦糸とを手掛かりとして、視覚あるいは触覚により判別可能で、識別ラインＬが織布テープ１０の幅方向の一部を通るように形成される。
【００５９】
また、織布テープ１０をワイヤーハーネス１５に巻付ける際に、識別ラインＬに沿って螺旋状に巻付けることによって、識別ラインＬに対応する所定の重なりを形成しやすくなる。
【００６０】
また、織布テープ１０がワイヤーハーネス１５に識別ラインＬが隠れるように巻付けられた場合、識別ラインＬが露出している部分がないかを調べることで識別ラインＬに対応する所定の重なりが形成されているかを容易に検査可能である。
【００６１】
特に、第１縦糸４２と第２縦糸４４とに用いられる糸の色が違う場合、視覚により判別可能な識別ラインＬが形成される。
【００６２】
また、第２縦糸４４が幅方向の中央を通って延びる場合、幅方向の中央に識別ラインＬが形成される。これにより、ワイヤーハーネス１５への織布テープ１０の二重巻を施しやすくなる。
【００６３】
また、第１縦糸４２と第２縦糸４４Ｂとに用いられる糸の表面形状が違う場合、視覚あるいは触覚により判別可能な識別ラインＬ１が形成される。
【００６４】
＜変形例＞
なお、上記実施形態では、幅方向の中央を通る１本の縦糸を第２縦糸４４とする例で説明したが、第２縦糸は１本でなくともよく、また、通る部分は１か所だけとは限らない。例えば、織布テープを幅方向に２つに分けた一方側の縦糸を第１縦糸として、もう一方側の縦糸を第２縦糸としてもよい。この場合、一方側の第１縦糸ともう一方側の第２縦糸が異なっているため、第１縦糸と第２縦糸とによって形成される識別ラインを判別しやすい。
【００６５】
また、例えば、幅方向の中央と、３分の１の部分と、４分の１の部分の３か所の縦糸を第２縦糸としてもよい。この場合、１つの織布テープの中に、幅方向の中央と、３分の１の位置と、４分の１の位置とがそれぞれ判別可能な識別ラインが形成されるため、１つの織布テープで、二重巻、三重巻、四重巻に対応することができる。
【００６６】
また、第１縦糸と第２縦糸とが異なっていることが判別可能な例としては、糸の性質に限られず、糸の織り方等も含まれる。例えば、図示は省略するが、第１縦糸と第２縦糸とで編み方が異なっているものでもよい。具体的には、第１縦糸は平織りで、第２縦糸は綾織りで織るという編み方、または、その逆に、第１縦糸を綾織りで、第２縦糸を平織りで織るという編み方であってもよい。つまり、第１縦糸が通る部分と第２縦糸が通る部分とが異なっていることが視覚あるいは触覚により判別可能であればよい。この場合であっても、第１縦糸と第２縦糸とが異なっていることが、視覚あるいは触覚により判別可能であるため、テープ基材に判別可能な識別ラインが形成される。
【００６７】
なお、上記実施形態及び各変形例で説明した各構成は、相互に矛盾しない限り適宜組合わせることができる。特に、幅方向の一部を判別可能な形態は複数選択することもできる。例えば、第１縦糸と第２縦糸とで、色及び表面形状を変えてもよい。このように、幅方向の一部を判別可能にする要素が複数存在すれば、該要素が１つのみの場合に比べて、幅方向の一部をより判別しやすくなる。
【００６８】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６９】
１０  織布テープ
１５  ワイヤーハーネス
２０  織布テープ付ワイヤーハーネス
３０，３０Ａ，３０Ｂ，３０Ｃ  テープ基材
４０，４０Ａ、４０Ｂ，４０Ｃ  縦糸
４２，４２Ｂ  第１縦糸
４４，４４Ｂ，４４Ｃ  第２縦糸
５０  横糸
６０  粘着層
Ｌ，Ｌ１，Ｌ２  識別ライン
【図１】
2015046293.tif 000003
【図２】
2015046293.tif 000004
【図３】
2015046293.tif 000005
【図４】
2015046293.tif 000006
【図５】
2015046293.tif 000007
【図６】
2015046293.tif 000008
【図７】
2015046293.tif 000009
【図８】
2015046293.tif 000010
【図９】
2015046293.tif 000011
【図１０】
2015046293.tif 000012